(57)【特許請求の範囲】
【請求項１】
作業テーブルの支柱にホルダを昇降自在に設け、該ホルダのアーム挿通孔に拡大鏡の支持アームを挿通して、拡大鏡を支持する拡大鏡スタンドにおいて、前記ホルダと拡大鏡との間に微動機構を介装すると共に、該微動機構は、前記ホルダのアーム挿通孔に連結アームを挿通してホルダに着脱可能に取り付けられる固定部材と、該固定部材に昇降自在に係合し、且つ前記拡大鏡の支持アームを挿通する支持アーム挿通孔を有した昇降部材とを備えていることを特徴とする拡大鏡スタンド。
【請求項２】
前記固定部材と昇降部材のいずれか一方にラックを設け、他方に該ラックと噛合して、前記昇降部材を昇降させるピニオンを備えていることを特徴とする請求項１に記載の拡大鏡スタンド。
【請求項３】
前記微動機構に、前記拡大鏡の昇降位置を固定するロック機構を設けたことを特徴とする請求項１または２に記載の拡大鏡スタンド。
【発明の詳細な説明】
【０００１】
【発明の属する技術分野】
本発明は、精密部品の組立や微小物等を、拡大鏡で拡大して明視できるようにした拡大鏡スタンドに関する。
【０００２】
【従来の技術】
従来、精密部品等を手作業で組立てる場合に、微小な部品に照明を当てながら拡大して、作業を両手で容易に行えるようにした照明灯付き拡大鏡スタンドが知られている（例えば、実公平５−１８７２９号公報参照）。
【０００３】
この照明灯付き拡大鏡スタンドは、作業テーブルに立設された支柱にホルダが昇降自在に取り付けられ、該ホルダに横方向に貫通して設けたアーム挿通孔に、先端にリング状のランプシェードを回動可能に取り付けた支持アームが保持されている。ランプシェードの内部には環状照明灯が装着され、その中央に拡大鏡が配設されていて、拡大鏡ユニットが構成されている。
【０００４】
上記ホルダは、支柱に直交する固定用のハンドルを締め付けることによって、支柱の所定高さに固定されており、拡大鏡スタンドを使用する際には、ホルダを拡大鏡と一体に昇降させて、作業テーブルに置かれた作業物品の作業位置と拡大鏡との焦点距離を調整するか、拡大鏡ユニットを、ランプシェードの基部に設けた調整ねじを支点に上下方向に回動させることによっても、焦点距離の調整ができるようにしている。
【０００５】
【発明が解決しようとする課題】
しかしながら、拡大鏡ユニットの拡大鏡や環状照明灯にはかなりの重量があり、拡大鏡ユニットを昇降して焦点距離調整をする場合には、作業者が拡大鏡ユニットの重量を支えながら行なわなければならないから、作業が繁雑で多大な時間と労力を伴うものとなり、さらに調整作業に相当な時間をかけたとしても、焦点距離を正確に調整するのは容易ではなく、しかも調整作業中に拡大鏡ユニットが不用意に動いて作業テーブル等にぶつけたり、作業テーブル上に落下させるなどして、ランプシェードや拡大鏡，環状照明灯を損傷してしまう虞がある。
【０００６】
また、ランプシェードの調整ねじを用いた焦点距離調整では、拡大鏡を調整ねじ回りに俯仰させるために、作業位置に対する拡大鏡の角度が調整毎に変化してしまい、仮に所望の焦点距離に微調整できたとしても、拡大鏡を作業者の姿勢や視点に合った好ましい角度に設定できたとはいえない。
【０００７】
そこで本発明は、簡単な構造で、拡大鏡の高さの微調整を短時間で且つ容易に行うことができて、良好な作業を行うことができる拡大鏡スタンドを提供することを目的としている。
【０００８】
【課題を解決するための手段】
上記の目的を達成するため、本発明は、作業テーブルの支柱にホルダを昇降自在に設け、該ホルダのアーム挿通孔に拡大鏡の支持アームを挿通して、拡大鏡を支持する拡大鏡スタンドにおいて、前記ホルダと拡大鏡との間に微動機構を介装すると共に、該微動機構は、前記ホルダのアーム挿通孔に連結アームを挿通してホルダに着脱可能に取り付けられる固定部材と、該固定部材に昇降自在に係合し、且つ前記拡大鏡の支持アームを挿通する支持アーム挿通孔を有した昇降部材とを備えていることを特徴としている。
【０００９】
上述の微動機構は、固定部材と昇降部材のいずれか一方にラックを設け、他方に該ラックと噛合して、昇降部材を昇降させるピニオンを設けることができ、同じくこの微動機構に、拡大鏡の昇降位置を固定するロック機構を設けることもできる。
【００１０】
【発明の実施の形態】
以下、本発明の一形態例を、図面に基づいて説明する。
【００１１】
拡大鏡スタンド１は、作業テーブル２と一体の架台３に支柱４が立設され、該支柱４にホルダ５が昇降自在に取り付けられており、このホルダ５に、円形の凸レンズを用いた拡大鏡ＬＥと環状照明灯（図示しない）とをランプシェード６で覆った拡大鏡ユニット７が微動機構８を介して昇降自在に保持されている。
【００１２】
ホルダ５は、支柱４に挿通される縦パイプ５ａと、該縦パイプ５ａに直交して、微動機構８の連結アーム９をアーム挿通孔５ｃに支持する横パイプ５ｂとを備えている。縦パイプ５ａには、支柱用ハンドル５ｄが横方向に突出して設けられ、この支柱用ハンドル５ｄを支柱４に締め付けることによって、ホルダ５が支柱４の所定高さに固定される。横パイプ５ｂには、アーム用ハンドル５ｅが横方向に突出して設けられており、微動機構８は、連結アーム９を横パイプ５ｂの作業テーブル２と反対側からアーム挿通孔５ｃに挿通し、該連結アーム９をアーム用ハンドル５ｅで締め付けして、ホルダ５に着脱可能に取り付けられる。
【００１３】
微動機構８は、連結アーム９をホルダ５に保持される固定部材８ａと、該固定部材８ａに昇降自在に係合し、且つ拡大鏡ユニット７を保持する昇降部材８ｂとを備えている。固定部材８ａは、上述の連結アーム９と立方体の固定ブロック１０、該固定ブロック１０を貫通して保持されるピニオン軸１１及びロック用の中空軸１２と、ピニオン軸１１の両端に固着されるダイヤル１３，１３と、中空軸１２に螺着されるロックナット１４とを備えている。また昇降部材８ｂは、係合腕１５ａ及び支持腕１５ｂをＬ字状に連ねた昇降ブロック１５と、該ブロック１５の係合腕１５ａに固着されるラック１６及びラックガイド１７と、同じく昇降ブロック１５の支持腕１５ｂに螺合して、ランプシェード６に突設した支持アーム２１を保持するハンドル１８とからなっている。
【００１４】
固定部材８ａの固定ブロック１０には、連結アーム９を保持する有底の連結アーム固定孔１０ａと、該連結アーム固定孔１０ａに直交して固定ブロック１０を横方向に貫通し、ピニオン軸１１及び中空軸１２を内外に保持する軸保持孔１０ｂと、固定ブロック１０の昇降部材取り付け側に上下方向全長に亙って開口するアリ溝１０ｃとが形成されている。ピニオン軸１１は、両端に雄ねじ１１ａ，１１ａが形成され、該雄ねじ１１ａ，１１ａの内側に大径部１１ｂ，１１ｂと小径部１１ｃ，１１ｃとが連設されると共に、小径部１１ｃ，１１ｃに挟まれたピニオン軸１１の中央にピニオン１１ｄが一体形成されている。
【００１５】
中空軸１２は、ピニオン軸１１の双方の大径部１１ｂ，１１ｂの外端に亙る長さに形成されており、一端側に雄ねじ１２ａと複数のすり割り溝１２ｂとが形成されると共に、中央部周面に開口１２ｃが形成されている。雄ねじ１２ａには、ロックナット１４が螺着され、このロックナット１４と中空軸１２とで、昇降部材８ｂの昇降位置を固定するロック機構２０が形成される。
【００１６】
前記ホルダ５のアーム挿通孔５ｃと昇降ブロック１５の支持アーム挿通孔１５ｄ，固定ブロック１０の連結アーム９及び拡大鏡ユニット７の支持アーム２１は同一径に形成されていて、連結アーム９と支持アーム２１とを、アーム挿通孔５ｃと支持アーム挿通孔１５ｄに交換的に挿通できるようにしている。またラックガイド１７は、固定ブロック１０のアリ溝１０ｃと同形の断面台形に形成されており、さらにピニオン１１ｄとラック１６とは一方向にやや傾斜したはす歯となっている。
【００１７】
固定ブロック１０の連結アーム固定孔１０ａには連結アーム９が差し込まれ、止めねじ２２を締結することによって、連結アーム９が固定ブロック１０に固定される。また、中空軸１２にピニオン軸１１を挿通して、ピニオン軸１１の一方の大径部１１ｂを中空軸１２の雄ねじ１２ａの内側に位置させながら、ピニオン１１ｄの一部を中空軸１２の開口１２ｃより露出させ、ピニオン軸１１と中空軸１２とを固定ブロック１０の軸保持孔１０ｂに挿通して、ピニオン１１ｄの一部を固定ブロック１０のアリ溝１０ｃに露出させる。
【００１８】
固定ブロック１０の一端には、ピニオン軸１１と中空軸１２の雄ねじ１１ａ，１２ａが、固定ブロック１０の他端には、ピニオン軸１１の雄ねじ１１ａがそれぞれ突出し、中空軸１２の雄ねじ１２ａにはロックナット１４が螺着され、ピニオン軸１１の各雄ねじ１１ａにそれぞれダイヤル１３が固着されると共に、中空軸１２が止めねじ２３を用いて固定ブロック１０に固定される。
【００１９】
昇降ブロック１５の係合腕１５ａには、ラック取り付け用のめねじ孔１５ｃ，１５ｃが穿設され、支持腕１５ｂに支持アーム挿通孔１５ｄとハンドル取り付け用のめねじ孔１５ｅとが交差して設けられている。係合腕１５ａのめねじ孔１５ｃ，１５ｃには、ラック１６とラックガイド１７とがビス２４，２５を用いて縦方向に固着され、支持アーム挿通孔１５ｄに差し込んだ拡大鏡ユニット７の支持アーム２１が、ハンドル１８にて着脱可能に取り付けられる。
【００２０】
昇降ブロック１５のラックガイド１７は、固定ブロック１０のアリ溝１０ｃに差し込まれ、該アリ溝１０ｃに露出するピニオン１１ｄをラック１６に噛合することにより、固定部材８ａと昇降部材８ｂとが微動機構８として一体に連結される。また、この連結により、固定ブロック１０と昇降ブロック１５の係合腕１５ａとが密着し、該昇降ブロック１５の支持腕１５ｂが固定ブロック１０の下方に位置する。
【００２１】
また、支持アーム２１とピニオン１１ｄとラック１６は、上述の拡大鏡ＬＥのレンズ中心を通る半径線上に配置されており、拡大鏡ＬＥは、ピニオン１１ｄやラック１６に偏荷重を与えることなく保持されている。
【００２２】
このように構成される微動機構８は、前述の如く、連結アーム９を横パイプ５ｂのアーム挿通孔５ｃに挿通して、ホルダ５の作業テーブル２と反対側に着脱可能に取り付けられる。昇降ブロック１５の支持アーム挿通孔１５ｄは、連結アーム９の下方に該連結アーム９と平行に位置し、この支持アーム挿通孔１５ｄに、拡大鏡ユニット７の支持アーム２１がハンドル１８を用いて着脱可能に取り付けられる。拡大鏡ユニット７と微動機構８の昇降部材８ｂは、ラック１６と噛合するピニオン１１ｄをダイヤル１３，１３の操作で回転させることによって一体に昇降する。
【００２３】
固定部材８ａのロックナット１４は、締め付け方向へ回転することによって、中空軸１２の雄ねじ１２ａをすり割り溝１０ｃによって縮径し、該雄ねじ１２ａをピニオン軸１１の一方の大径部１１ｂに圧着して、ピニオン軸１１の回転、即ちラック１６に対するピニオン１１ｄの回転を規制して、昇降部材８ｂと拡大鏡ユニット７とを所望高さに維持するようにしている。さらに、中空軸１２の雄ねじ１２ａとピニオン軸１１の大径部１１ｂとの圧着を適度に抑えることにより、ピニオン１１ｄの回転にブレーキをかけながら、昇降部材８ｂと拡大鏡ユニット７を昇降させることができる。ピニオン１１ｄとラック１６とのはす歯形状は、ピニオン１１ｄの回転に適度なブレーキをかけるのに役立ち、さらに拡大鏡ユニット７からピニオン１１ｄに作用する過大な重量を分散するのにも役立つ。
【００２４】
支柱４のホルダ５よりも下側には、固定用のハンドル３０を備えたリングストッパ３１があって、拡大鏡ＬＥを組み込んだ拡大鏡ユニット７は、リングストッパ３１の固定位置よりも下側へは下降できないようにしている。拡大鏡ユニット７は、このような取り付けによって作業テーブル２の上方に位置し、ホルダ５の支柱用ハンドル５ｄによって支柱４を支点に水平方向に回動し、またホルダ５のアーム用ハンドル５ｅによって、連結アーム９を支点に垂直方向に回動し、さらにランプシェード６と支持アーム２１との間にヨーク４０と共に設けた調整ボルト４１を支点に俯仰できるようにしている。
【００２５】
拡大鏡スタンド１は、このような調整を用いて、作業テーブル２に置かれた作業物品の作業位置と拡大鏡ＬＥとの焦点距離を合わせ、拡大鏡ＬＥ並びに環状照明灯を用いた必要な作業を行なわれる。そして、このようにして焦点距離を合わせた後に、拡大鏡ユニット７の位置を固定する場合には、ロックナット１４を締め付け、中空軸１２の雄ねじ１２ａをピニオン軸１１の大径部１１ｂに圧着して、ピニオン軸１１の回転を規制することにより行なわれる。
【００２６】
拡大鏡ＬＥと作業位置との焦点距離合わせや変更は、ホルダ５と拡大鏡ユニット７との間に介装した微動機構８によっても行なうことがことが可能で、固定部材８ａのダイヤル１３，１３の一方または双方を回転させると、ピニオン軸１１と一体のピニオン１１ｄが回転し、該ピニオン１１ｄと歯合するラック１６が上下動して、昇降部材８ｂと拡大鏡ユニット７とが昇降する。微動機構８を用いた拡大鏡ユニット７の昇降は、ラック１６の長さの範囲で無段階に細かく行なうことができ、作業位置と拡大鏡ＬＥとの焦点距離を短時間で正確に合わせることができる。また、微動機構８による調整作業は、ハンドル１８を回転させるだけの操作で簡便に行なうことができ、さらに作業者には拡大鏡ユニット７の荷重が全くかからないので作業者に負担がない。しかも、調整作業中に拡大鏡ユニット７が不用意に動いたり落下することがないので、拡大鏡ユニット７のランプシェード６や拡大鏡ＬＥ，環状照明灯を損傷してしまう虞が全くない。
【００２７】
また、本形態例の拡大鏡スタンド１は、ホルダ５のアーム挿通孔５ｃと昇降ブロック１５の支持アーム挿通孔１５ｄ、連結アーム９及び拡大鏡ユニット７の支持アーム２１とが同一径に形成されているので、作業場所や作業物品の大きさ等によって、作業テーブル２よりも手前で作業したい場合には、微動機構８の連結アーム９を作業テーブル２側からホルダ５のアーム挿通孔５ｃへ差し込んで、微動機構８を支柱４よりも作業テーブル２側に位置させ、該微動機構８の支持アーム挿通孔１５ｄに拡大鏡ユニット７の支持アーム２１を作業テーブル２側より差し込んで、該支持アーム２１をハンドル１８で固定することにより、拡大鏡ＬＥが、微動機構８を反転させた分だけ支軸４から離れて、作業テーブル２の手前側（作業テーブ２に正対する作業者側）に位置する（図６参照）。
【００２８】
さらに本形態例は、アーム挿通孔５ｃと支持アーム挿通孔１５ｄ，連結アーム９並びに支持アーム２１が同一径であることから、微動機構８を持たない既存の拡大鏡スタンドに後付けすることも可能で、支柱４のホルダ５と拡大鏡ユニット７との間に微動機構８を介装することにより、微動機構８による正確で細かな焦点距離調整を低価格で行なうことができるようになる。
【００２９】
また、昇降部材８ｂの昇降にピニオン１１ｄとラック１６との組合わせによる送り機構を用いたから、部品点数が少なく微動機構８をコンパクトに形成でき、昇降部材８ｂの昇降が滑らかに行なえると共に、拡大鏡ユニット７の荷重にもよく耐える。さらに、ピニオン１１ｄとラック１６とをはす歯形状としたことにより、昇降部材８ｂのよりスムーズな昇降が図れ、拡大鏡ユニット７の荷重にも一層よく耐えるようになる。また、微動機構８に設けたロック機構２０は、微動機構８を用いて正確に調整した焦点距離を維持するのに役立つ。
【００３０】
尚、上述の形態例では、拡大鏡をランプシェードや環状照明灯と一体の拡大鏡ユニットで説明したが、本発明は、少なくとも拡大鏡が支持アームを備えていればよい。また、上述の形態例とは逆に、固定部材にラックを設け、昇降部材にピニオンを設けるようにしてもよい。さらに、微動機構のロック機構は、ワンタッチで操作が行なえるレバー構造であってもよい。
【００３１】
【発明の効果】
以上説明したように、微動機構を用いた本発明の請求項１によれば、拡大鏡と作業位置との焦点距離合わせや焦点距離の変更を、無段階で細かく且つ正確で簡便に行なうことができる。また、作業者には拡大鏡の荷重が全くかからないので作業者に負担がない。さらに、調整作業中に拡大鏡が不用意に動いたり落下することがないので、拡大鏡を損傷してしまう虞が全くない。
【００３２】
また、ホルダと微動機構との２つの支持アーム挿通孔と、微動機構の連結アーム並びに拡大鏡ユニットの支持アームとが同一径に形成されるので、支軸からの拡大鏡の距離を簡便に変更して拡大鏡を用いることができ、また微動機構を持たない既存の拡大鏡スタンドにも容易に後付けできるので、微動機構による正確で細かな焦点距離調整を低価格で行なうことができるようになる。
【００３３】
さらに、固定部材に連結した連結アームを、作業テーブル側からホルダのアーム挿通管に挿通すると共に、昇降部材の背面側から支持アーム挿通管に支持アームを挿通すれば、拡大鏡を作業テーブルよりも手前に突出させることができ、作業の幅を広げることができる。
【００３４】
また、本発明の請求項２によれば、部品点数が少ないので微動機構をコンパクトに形成でき、しかも昇降部材の昇降が滑らかに行なえると共に、拡大鏡から作用する荷重にもよく耐える。さらに、本発明の請求項３によれば、微動機構を用いて正確に調整した焦点距離をロック機構が良好に維持する。
【図面の簡単な説明】
【図１】  本発明の一形態例を示す拡大鏡スタンドの斜視図
【図２】  本発明の一形態例を示す微動機構の分解斜視図
【図３】  本発明の一形態例を示す拡大鏡スタンドの要部断面図
【図４】  図３のＩＶ−ＩＶ断面図
【図５】  図４のＶ−Ｖ断面図
【図６】  微動機構の他の取り付け例を示す要部説明図
【符号の説明】
１…拡大鏡スタンド
２…作業テーブル
４…支柱
５…ホルダ
５ｃ…支持アーム挿通孔
６…ランプシェード
７…拡大鏡ユニット
８…微動機構
９…連結アーム
８ａ…固定部材
８ｂ…昇降部材
１０…固定ブロック
１０ｃ…アリ溝
１１…ピニオン軸
１１ｄ…ピニオン
１２…中空軸
１３…ダイヤル
１４…ロックナット
１５…昇降ブロック
１５ｄ…支持アーム挿通孔
１６…ラック
１８…ハンドル
２０…ロック機構
２１…支持アーム
４１…調整ボルト
ＬＥ…拡大鏡
【図１】
0004241971.tif 000002
【図２】
0004241971.tif 000003
【図３】
0004241971.tif 000004
【図４】
0004241971.tif 000005
【図５】
0004241971.tif 000006
【図６】
0004241971.tif 000007